(57)【特許請求の範囲】
【請求項１】
第一のフロア部及び第二のフロア部を具備する建物に設けられる空調システムであって、
前記第一のフロア部の床下空間に配置されて空気を加熱または冷却する調温装置と、
前記第一のフロア部の床下空間から前記第二のフロア部の床下空間へ空気を送る送風機と、
前記第二のフロア部の床下空間において、前記送風機により送られてきた空気の流れを遮ることで当該空気を拡散させる拡散部材と、
を具備し、
前記拡散部材は、
空気の流れを遮る作動位置または空気の流れを遮らない非作動位置のいずれか一方に切り替え可能に構成され、
前記拡散部材近傍の温度が所定値未満である場合、前記拡散部材を前記非作動位置に切り替え、前記拡散部材近傍の温度が前記所定値以上である場合、前記拡散部材を前記作動位置に切り替える切替機構をさらに具備する、
空調システム。
【請求項２】
前記第二のフロア部は、
前記第一のフロア部よりも低く形成される、
請求項１に記載の空調システム。
【請求項３】
前記第二のフロア部の床下空間へ送られてきた空気を床上空間へと導入可能な導入口をさらに具備する、
請求項１または請求項２に記載の空調システム。
【請求項４】
前記導入口は、
前記床上空間に設けられた窓の下方に設けられる、
請求項３に記載の空調システム。
【発明の詳細な説明】
【技術分野】
【０００１】
本発明は、空調システムの技術に関する。
【背景技術】
【０００２】
従来、床下空間を暖めることで、当該床下空間の直上にある床上空間を暖めて快適な温度に調節する暖房システムの技術は公知となっている。例えば、特許文献１に記載の如くである。
【０００３】
特許文献１には、床下空間内に設置された放熱器と、床下空間の上側面（床部）の下面に設けられた潜熱蓄熱材と、を具備する暖房システムが記載されている。当該暖房システムにおいて放熱器が稼働すると、床下空間が暖められ、潜熱蓄熱材に熱が蓄えられる。当該潜熱蓄熱材に蓄えられた熱は、床部を介して床上空間に伝達される。このように一旦潜熱蓄熱材に熱を蓄えることで、床上空間を長時間に亘って暖めることができる。
【先行技術文献】
【特許文献】
【０００４】
【特許文献１】特開２０１５−１３２４３５号公報
【発明の概要】
【発明が解決しようとする課題】
【０００５】
しかしながら、特許文献１の技術では、床下空間の一部分に、放熱器や潜熱蓄熱材を配置することができない事情がある場合（例えば、床部の一部分が低かったり、その他の機器や配線等が配置されるなどにより、放熱器等を設置するためのスペースが十分に確保できない場合）には、当該部分を十分に暖めることができず、床下空間の暖め方にムラが生じてしまう点で改善の余地があった。
【０００６】
本発明は以上の如き状況に鑑みてなされたものであり、その解決しようとする課題は、床下空間の暖め方または冷やし方にムラが生じるのを抑制することができる暖房システムを提供することである。
【課題を解決するための手段】
【０００７】
本発明の解決しようとする課題は以上の如くであり、次にこの課題を解決するための手段を説明する。
【０００８】
即ち、暖房システムは、第一のフロア部及び第二のフロア部を具備する建物に設けられる空調システムであって、前記第一のフロア部の床下空間に配置されて空気を加熱または冷却する調温装置と、前記第一のフロア部の床下空間から前記第二のフロア部の床下空間へ空気を送る送風機と、前記第二のフロア部の床下空間において、前記送風機により送られてきた空気の流れを遮ることで当該空気を拡散させる拡散部材と、を具備し、前記拡散部材は、空気の流れを遮る作動位置または空気の流れを遮らない非作動位置のいずれか一方に切り替え可能に構成され、前記拡散部材近傍の温度が所定値未満である場合、前記拡散部材を前記非作動位置に切り替え、前記拡散部材近傍の温度が前記所定値以上である場合、前記拡散部材を前記作動位置に切り替える切替機構をさらに具備するものである。
【０００９】
また、前記第二のフロア部は、前記第一のフロア部よりも低く形成されることとしてもよい。
このような構成により、調温装置等の機器を配置することが困難な第二のフロア部の床下空間を暖める（または冷やす）ことができ、第一のフロア部の床下空間と第二のフロア部の床下空間とで暖め方または冷やし方にムラが生じるのを抑制することができる。
【００１１】
また、空調システムは、前記第二のフロア部の床下空間へ送られてきた空気を床上空間へと導入可能な導入口をさらに具備することとしてもよい。
このような構成により、調温装置によって暖められた（または冷やされた）空気を直接床上空間へと導入することで、当該床上空間を効果的に暖める（または冷やす）ことができる。
【００１２】
また、前記導入口は、前記床上空間に設けられた窓の下方に設けられることとしてもよい。
このような構成により、窓の近傍におけるコールドドラフトの発生を抑制することができる。
【発明の効果】
【００１３】
床下空間の暖め方または冷やし方にムラが生じるのを抑制することができる。また、拡散部材近傍の温度に応じて空気の流通経路を変化させることで、第二のフロア部の床下空間における暖め方または冷やし方にムラが生じるのを効果的に抑制することができる。
【図面の簡単な説明】
【００１４】
【図１】住宅の１階部分を示した平面模式図。
【図２】リビングの周辺の構成を示した斜視模式図。
【図３】同じく、正面断面図。
【図４】遮蔽板及びアクチュエータを示した正面断面拡大図。
【図５】遮蔽板が非作動状態に切り替えられた状態における空気の流れを示した平面模式図。
【図６】遮蔽板が作動状態に切り替えられた状態における空気の流れを示した平面模式図。
【図７】第一変形例に係る送風機の配置を示した平面模式図。
【図８】第二変形例に係る区画壁を示した平面模式図。
【図９】第三変形例に係る遮蔽板を示した平面模式図。
【発明を実施するための形態】
【００１５】
以下の説明においては、図中に記した矢印に従って、前後方向、左右方向及び上下方向をそれぞれ定義する。
【００１６】
まず、図１を用いて、本実施形態に係る暖房システム１００が設けられる住宅１の概略構成について説明する。
【００１７】
住宅１は、人（居住者）が居住するための複数階（例えば２階）立ての建築物である。図１においては、住宅１の１階部分を示している。住宅１の１階部分には、主として玄関１１、リビング１２、ダイニングキッチン１３、トイレ１４、浴室１５及び階段１６が設けられる。
【００１８】
玄関１１は、住宅１の左後部に設けられる。リビング１２は、玄関１１と隣接するように、住宅１の後部に設けられる。ダイニングキッチン１３は、リビング１２と隣接するように、住宅１の前部に設けられる。トイレ１４及び浴室１５は、それぞれ他の空間と区画され、住宅１の右前部に設けられる。階段１６は、住宅１の右部（リビング１２の右方）に設けられる。
【００１９】
次に、図１から図３までを用いて、住宅１のうち、リビング１２の周辺の構成について説明する。リビング１２の周辺には、主として基礎３１、土間スラブ３２、壁部３３、窓３４、一般床部３５、低床部３６、第一立設部３７、第二立設部３８、カウンタ部３９及び暖房システム１００が設けられる。
【００２０】
図２及び図３に示す基礎３１は、住宅１を支持するためのものである。基礎３１は住宅１の外縁部に設けられる。基礎３１は、所謂布基礎である。
【００２１】
土間スラブ３２は、住宅１の下方を覆うように設けられるものである。土間スラブ３２は、基礎３１の内側に、略水平に設けられる。土間スラブ３２の下側面には、地面の湿気が住宅１に入り込むのを防止するための防湿シート（不図示）が設けられる。
【００２２】
図１から図３までに示す壁部３３は、住宅１の内部空間と住宅１の外部空間（屋外）とを区画するものである。壁部３３は、基礎３１の上に設けられる。壁部３３は、住宅１の外縁部に沿って設けられる。
【００２３】
窓３４は、壁部３３の適宜の箇所に設けられる。本実施形態においては、特にリビング１２の左方の壁部３３に設けられる窓３４（図１等参照）に着目して説明を行う。
【００２４】
一般床部３５は、住宅１の１階部分の床面を形成するものである。一般床部３５は、略水平に形成される。一般床部３５の上には、ダイニングキッチン１３やトイレ１４等が設けられる。
【００２５】
低床部３６は、一般床部３５よりも低い位置で住宅１の１階部分の床面を形成するものである。低床部３６は、略水平に形成される。低床部３６は、平面視略矩形状に形成される。低床部３６は、住宅１の１階部分のうち、後部（リビング１２の大部分）の床面を形成する。低床部３６は、下方から複数の束３６ａによって支持される（図２参照）。
【００２６】
このようにして、住宅１のリビング１２は、その大部分（低床部３６）が周囲（一般床部３５）よりも低く形成された、所謂ダウンフロアリビングとして形成されている。
【００２７】
第一立設部３７は、低床部３６と一般床部３５とを接続するように形成された部分である。第一立設部３７は、低床部３６に対して略垂直に形成される。第一立設部３７は、低床部３６の右端部及び前端部に形成される。
【００２８】
第二立設部３８は、低床部３６の左端部から上方に立ち上がるように形成された部分である。第二立設部３８は、低床部３６に対して略垂直に形成される。第二立設部３８は、第一立設部３７よりも若干高くなるように形成される。また第二立設部３８の上端は、基礎３１の上端よりも高くなるように形成される。また第二立設部３８の上端は、窓３４（リビング１２の左方の窓３４）の下端と略同一の高さになるように形成される。
【００２９】
カウンタ部３９は、第二立設部３８の上端部から略水平に延びるように形成される部分である。カウンタ部３９は、第二立設部３８の上端部から隣接する壁部３３（窓３４の下方）まで延びるように形成される。
【００３０】
このように構成された住宅１において、一般床部３５の直下（一般床部３５と土間スラブ３２の間）には、第一床下空間５１が形成される。また低床部３６の直下（低床部３６と土間スラブ３２の間）には、第二床下空間５２が形成される。またカウンタ部３９の下方（カウンタ部３９、第二立設部３８、基礎３１及び土間スラブ３２によって囲まれた部分）には、立ち上がり空間５３が形成される。第一床下空間５１、第二床下空間５２及び立ち上がり空間５３は、連続した１つの空間になるように形成される。
【００３１】
低床部３６は一般床部３５に比べて低い位置に形成されているため、第二床下空間５２は第一床下空間５１よりも低く形成される。また立ち上がり空間５３は、第二床下空間５２の左方において、上下に長く延びるように形成される。
【００３２】
なお、以下では、第一床下空間５１、第二床下空間５２及び立ち上がり空間５３を総じて「床下空間」と称する。また、一般床部３５及び低床部３６等を隔てて床下空間の上方に形成される空間（リビング１２等の空間）を「床上空間」と称する。
【００３３】
暖房システム１００は、床下空間を暖め、当該床下空間の熱を床上空間（リビング１２等）に伝達することで当該床上空間を暖めるものである。
【００３４】
以下では、図２から図４までを用いて暖房システム１００の構成について詳細に説明する。暖房システム１００は、主として放熱器１１０、送風機１２０、遮蔽板１３０、アクチュエータ１４０及び吹き出し口１５０を具備する。
【００３５】
図２及び図３に示す放熱器１１０は、床下空間の空気を暖めるものである。放熱器１１０は、第一床下空間５１（一般床部３５の下方）に配置される。放熱器１１０は、土間スラブ３２上に載置される。本実施形態に係る放熱器１１０は、第二床下空間５２の右方に配置される。放熱器１１０は、前後方向において低床部３６の略中央部に配置される。放熱器１１０には、図示せぬ熱源（ヒーター等）によって加熱された温水が供給される。放熱器１１０は、当該温水の熱を第一床下空間５１内の空気に伝達することで、当該第一床下空間５１を暖めることができる。
【００３６】
送風機１２０は、所定の方向へと空気を送る（送風する）ものである。送風機１２０は、第一床下空間５１（一般床部３５の下方）に配置される。送風機１２０は、土間スラブ３２上に載置される。送風機１２０は、第二床下空間５２の右方に配置される。送風機１２０は、前後方向において低床部３６の略中央部に配置される。送風機１２０は、放熱器１１０と第二床下空間５２との間（放熱器１１０の左方）に配置される。送風機１２０は、吐出口１２１を左方（第二床下空間５２）に向けて配置される。これによって送風機１２０は、第一床下空間５１内の空気を左方（第二床下空間５２）へと送る（送風する）ことができる。
【００３７】
図２から図４までに示す遮蔽板１３０は、空気の流れを遮ることで当該空気を拡散させるものである。遮蔽板１３０は、第二床下空間５２に配置される。遮蔽板１３０は、前後方向に長い矩形板状に形成される。遮蔽板１３０の上端（長辺）は、軸線を前後方向に向けた回動軸１３１を介して低床部３６の下面に回動可能に支持される（図４参照）。これによって遮蔽板１３０は、回動軸１３１を中心として左右に揺動可能となる。遮蔽板１３０は、鉛直方向（回動軸１３１から真下方向）を向いた状態において、当該遮蔽板１３０の上下方向幅（短辺）が第二床下空間５２の上下方向幅と略同一となるように形成される。遮蔽板１３０は、前後方向に沿った一直線上に２つ並べて配置される。当該２つの遮蔽板１３０は、平面視において低床部３６の前後両端部とそれぞれ間隔を空けて、前後方向において低床部３６の略中央部に配置される。このようにして、遮蔽板１３０は、送風機１２０の左方に、当該送風機１２０の吐出口１２１と対向するように配置されることになる。
【００３８】
遮蔽板１３０が鉛直方向を向いた状態（図４の実線参照）においては、当該遮蔽板１３０によって第二床下空間５２が左右に区画される。このため、当該遮蔽板１３０によって左右方向への空気の流れが遮られる。この遮蔽板１３０の位置を、以下では「作動位置」と称する。また、遮蔽板１３０が左方に揺動した状態（図４の二点鎖線参照）においては、当該遮蔽板１３０が上方（低床部３６近傍）へ持ち上げられた状態になるため、当該遮蔽板１３０による第二床下空間５２の区画が解除される。このため、空気は当該遮蔽板１３０の下方を左右方向へ流通可能となる。この遮蔽板１３０の位置を、以下では「非作動位置」と称する。
【００３９】
図４に示すアクチュエータ１４０は、遮蔽板１３０を作動位置または非作動位置に切り替えるものである。アクチュエータ１４０は、温度に応じて伸縮可能な温度アクチュエータ（サーモアクチュエータ）である。具体的には、アクチュエータ１４０は、所定の温度未満になると収縮する。またアクチュエータ１４０は、所定の温度以上になると伸張する。アクチュエータ１４０の一端は、遮蔽板１３０の回動軸１３１の左方において、低床部３６の下面に回動可能に連結される。アクチュエータ１４０の他端は、遮蔽板１３０の上下中途部に回動可能に連結される。
【００４０】
アクチュエータ１４０が所定の温度未満である場合、当該アクチュエータ１４０は収縮し、遮蔽板１３０を後方へ揺動させて非作動位置に切り替える（図４の二点鎖線参照）。またアクチュエータ１４０が所定の温度以上になると、当該アクチュエータ１４０は伸張し、遮蔽板１３０を前方へ揺動させて作動位置に切り替える（図４の実線参照）。
【００４１】
このように、アクチュエータ１４０は自身の温度に応じて収縮または伸張する。アクチュエータ１４０は遮蔽板１３０の近傍に配置されているため、言い換えれば、アクチュエータ１４０は遮蔽板１３０近傍の温度に応じて収縮または伸張することになる。
【００４２】
図２及び図３に示す吹き出し口１５０は、床下空間と床上空間とを連通させるものである。吹き出し口１５０は、カウンタ部３９を上下に貫通するように形成される。吹き出し口１５０は、窓３４（前後方向）に沿って複数並ぶように形成される。
【００４３】
このように構成された暖房システム１００において、放熱器１１０及び送風機１２０は、図示せぬスイッチにより作動または停止を切り替えることができる。
【００４４】
以下では、図３から図６までを用いて、暖房システム１００が動作する様子について説明する。
【００４５】
床上空間を暖めたい場合、居住者は前記スイッチを操作し、放熱器１１０及び送風機１２０を作動させる。図３に示すように、放熱器１１０が作動すると、当該放熱器１１０によって第一床下空間５１内の空気が暖められる。
【００４６】
また送風機１２０が作動すると、当該送風機１２０によって第一床下空間５１内の空気が第二床下空間５２へと送られる。すなわち、放熱器１１０によって暖められた空気が第二床下空間５２へと送られることになる。
【００４７】
ここで、床上空間を暖め始めた時点では、アクチュエータ１４０の温度はある程度低い状態であると考えられる。アクチュエータ１４０が前記所定の温度未満である場合には、当該アクチュエータ１４０は収縮し、遮蔽板１３０は非作動位置に切り替えられている（図４の二点鎖線参照）。
【００４８】
図５に示すように、遮蔽板１３０が非作動位置に切り替えられている場合には、送風機１２０によって左方（第二床下空間５２）へと送られてきた空気は、遮蔽板１３０に遮られることなく、そのまま第二床下空間５２内を左方へと流通することができる。このように第二床下空間５２の前後中央付近を左方に向かって流通する空気によって、当該第二床下空間５２のうち主に前後中央付近が暖められることになる。
【００４９】
図３に示すように、第二床下空間５２を左方へと通過した空気は、立ち上がり空間５３内を上方へと流通する。当該空気は、カウンタ部３９に形成された吹き出し口１５０から床上空間（リビング１２）へと導入される。
【００５０】
図５に示す空気の流れがしばらく継続すると、第二床下空間５２の前後中央付近の温度が徐々に上昇する。これによって、アクチュエータ１４０の温度が前記所定の温度以上になると、当該アクチュエータ１４０は伸張し、遮蔽板１３０は作動位置に切り替えられる（図４の実線参照）。
【００５１】
図６に示すように、遮蔽板１３０が作動位置に切り替えられると、送風機１２０によって左方（第二床下空間５２）へと送られてきた空気は、遮蔽板１３０によって遮られるため、当該遮蔽板１３０の背後（左方）へと通過することができない。このため空気は、遮蔽板１３０に沿って前後に拡散される。当該空気は、遮蔽板１３０に沿って前後に流通した後、左方（吹き出し口１５０側）に向かって流通する。このように、遮蔽板１３０を前後に迂回する空気によって、第二床下空間５２のうち、主に前後両端部が暖められることになる。
【００５２】
図３に示すように、第二床下空間５２を左方へと通過した空気は、遮蔽板１３０が非作動位置に切り替えられている場合と同様に、吹き出し口１５０から床上空間へと導入される。
【００５３】
このようにして、床下空間（第一床下空間５１及び第二床下空間５２）内の空気を暖め、当該空気の熱を床面（一般床部３５、低床部３６等）を介して床上空間に伝達することで、当該床上空間（リビング１２等）を暖めることができる。
【００５４】
特に本実施形態では、放熱器１１０によって暖められた空気を、送風機１２０を用いて第二床下空間５２へと送込むことができる。このため、第二床下空間５２に放熱器１１０を配置できない場合であっても、当該第二床下空間５２を暖めることができ、ひいては第一床下空間５１と第二床下空間５２とで暖め方にムラが生じるのを抑制することができる。
【００５５】
さらに本実施形態では、アクチュエータ１４０の温度が前記所定の温度以上になった場合には、遮蔽板１３０を用いて送風機１２０から送られてくる空気を拡散させることができる。これによって、第二床下空間５２の暖め方にムラが生じるのを抑制することができる。
【００５６】
また、床下空間で暖められた空気を、吹き出し口１５０を介して床上空間に導入することによっても、当該床上空間を暖めることができる。特に本実施形態においては、吹き出し口１５０を窓３４に沿うように形成しているため、当該窓３４近辺で生じるコールドドラフト（窓３４を介して床上空間内の空気が冷やされることによって生じる下降気流（図２及び図３の黒塗り矢印参照））の発生を抑制することができる。
【００５７】
以上の如く、本実施形態に係る暖房システム１００は、
一般床部３５（第一のフロア部）及び低床部３６（第二のフロア部）を具備する住宅１（建物）に設けられる暖房システム１００（空調システム）であって、
第一床下空間５１（一般床部３５の床下空間）に配置されて空気を加熱する放熱器１１０（調温装置）と、
第一床下空間５１から第二床下空間５２（低床部３６の床下空間）へ空気を送る送風機１２０と、
第二床下空間５２において、送風機１２０により送られてきた空気の流れを遮ることで当該空気を拡散させる遮蔽板１３０（拡散部材）と、
を具備するものである。
【００５８】
このように構成することにより、床下空間の暖め方にムラが生じるのを抑制することができる。
【００５９】
また、低床部３６は、
一般床部３５よりも低く形成されるものである。
【００６０】
このように構成することにより、放熱器１１０等の機器を配置することが困難な低床部３６の床下空間（第二床下空間５２）を暖めることができ、第一床下空間５１と第二床下空間５２とで暖め方にムラが生じるのを抑制することができる。また、自然対流では暖められた空気が流入し難い第二床下空間５２に強制的に暖かい空気を送ることで、当該第二床下空間５２を効果的に暖めることができる。
【００６１】
また、遮蔽板１３０は、
空気の流れを遮る作動位置または空気の流れを遮らない非作動位置のいずれか一方に切り替え可能に構成され、
遮蔽板１３０近傍の温度が所定値未満である場合、遮蔽板１３０を前記非作動位置に切り替え、遮蔽板１３０近傍の温度が前記所定値以上である場合、遮蔽板１３０を前記作動位置に切り替えるアクチュエータ１４０（切替機構）をさらに具備するものである。
【００６２】
このように構成することにより、遮蔽板１３０近傍の温度に応じて空気の流通経路を変化させることで、第二床下空間５２における暖め方にムラが生じるのを効果的に抑制することができる。
【００６３】
また、暖房システム１００は、
第二床下空間５２へ送られてきた空気を床上空間へと導入可能な吹き出し口１５０（導入口）をさらに具備するものである。
【００６４】
このように構成することにより、放熱器１１０によって暖められた空気が直接床上空間へと導入されるため、当該床上空間を効果的に暖めることができる。
【００６５】
また、吹き出し口１５０は、
前記床上空間に設けられた窓３４の下方に設けられるものである。
【００６６】
このように構成することにより、窓３４の近傍におけるコールドドラフトの発生を抑制することができる。
【００６７】
なお、本実施形態に係る一般床部３５は、第一のフロア部の実施の一形態である。
また、本実施形態に係る低床部３６は、第二のフロア部の実施の一形態である。
また、本実施形態に係る住宅１は、建物の実施の一形態である。
また、本実施形態に係る暖房システム１００は、空調システムの実施の一形態である。
また、本実施形態に係る第一床下空間５１は、第一のフロア部の床下空間の実施の一形態である。
また、本実施形態に係る放熱器１１０は、調温装置の実施の一形態である。
また、本実施形態に係る第二床下空間５２は、第二のフロア部の床下空間の実施の一形態である。
また、本実施形態に係る遮蔽板１３０は、拡散部材の実施の一形態である。
また、本実施形態に係るアクチュエータ１４０は、切替機構の実施の一形態である。
また、本実施形態に係る吹き出し口１５０は、導入口の実施の一形態である。
【００６８】
以上、本発明の一実施形態を説明したが、本発明は上記構成に限定されるものではなく、特許請求の範囲に記載された発明の範囲内で種々の変更が可能である。
【００６９】
例えば、暖房システム１００は、住宅１に限らず、オフィスビルや病院、学校等に適用することも可能である。
【００７０】
また、上記実施形態においては、送風機１２０は、一般床部３５よりも低い位置に形成された低床部３６の床下空間（第二床下空間５２）へと空気を送るものとした。しかし、このように高さが低い空間（第二床下空間５２）に限らず、任意の高さの空間へと空気を送るように構成することが可能である。例えば、他の機器等が配置されていることによって、放熱器１１０を配置するスペースが十分に確保できない床下空間に向けて空気を送るように送風機１２０を配置してもよい。
【００７１】
また、上記実施形態においては、第一床下空間５１内の空気を暖める機器として放熱器１１０を例示したが、その他の機器（自身が熱源となるヒーター等）を用いて空気を暖める構成とすることも可能である。
【００７２】
また、放熱器１１０の配置は上記実施形態に限るものではなく、第一床下空間５１の任意の位置に設けることができる。
【００７３】
また、上記実施形態においては、遮蔽板１３０を前後方向に沿って配置するものとしたが、当該遮蔽板１３０の配置は上記実施形態に限るものではなく、任意に配置することができる。例えば、２つの遮蔽板１３０を平面視Ｖ字状（右方に向かって先鋭形状）に配置することで、空気を滑らかに前後方向に拡散させることもできる。
【００７４】
また、上記実施形態においては、温度に応じて伸縮するアクチュエータ１４０（サーモアクチュエータ）を用いて遮蔽板１３０を作動位置または非作動位置に切り替えるものとしたが、その他の機構を用いて遮蔽板１３０の位置を切り替えることも可能である。例えば、遮蔽板１３０の近傍の温度を検出する温度センサと、遮蔽板１３０の位置を切り替えることが可能な電動アクチュエータ（電動シリンダやモーター等）と、温度センサによる検出値に応じて電動アクチュエータの動作を制御する制御装置と、を用いて、遮蔽板１３０近傍の温度に応じて当該遮蔽板１３０の位置を切り替えることも可能である。すなわち、遮蔽板１３０の近傍の温度に応じて当該遮蔽板１３０の位置を切り替えることができれば、その具体的な構成は限定しない。
【００７５】
また、遮蔽板１３０の近傍の温度としては、具体的には、遮蔽板１３０自身の温度、遮蔽板１３０の周囲（近傍）の空気の温度、遮蔽板１３０の周囲（近傍）に設けられた機器（アクチュエータ１４０等）の温度、低床部３６のうち遮蔽板１３０の近傍の温度、土間スラブ３２のうち遮蔽板１３０の近傍の温度等を用いることができる。特に上記実施形態においては、遮蔽板１３０の背後（左方）に暖かい空気を流通させるか否か、言い換えれば遮蔽板１３０の背後を暖めるか否かを切り替える構成としているため、遮蔽板１３０の近傍の温度として当該遮蔽板１３０の背後（左方）における温度を検出することが望ましい。
【００７６】
また、上記実施形態において説明した各機器（放熱器１１０、送風機１２０、遮蔽板１３０及びアクチュエータ１４０等）の個数は限定するものではなく、任意の個数設けることが可能である。なお、第二床下空間５２の前後中央付近が暖められたことを検出するために、アクチュエータ１４０を遮蔽板１３０（上記実施形態においては、２つの遮蔽板１３０）の前後中央部近傍に配置することが望ましい。
【００７７】
また、住宅１の暖房効果を高めるために、当該住宅１の断熱性能を高めることが望ましい。具体的には、床下空間及び床上空間の温度に対する外気の温度の影響を抑制することが望ましい。例えば、基礎３１（基礎３１の内側面や外側面）、土間スラブ３２（土間スラブ３２の内側面）、壁部３３（壁部３３の内部）等に断熱材を設けたり、窓３４を二重構造にすることで、住宅１の断熱性能を高めることができる。
【００７８】
また、上記実施形態においては、送風機１２０を第二床下空間５２の右方（放熱器１１０側）、すなわち空気の流通方向において第二床下空間５２の上流側に配置するものとしたが、送風機１２０の配置はこれに限るものではない。送風機１２０は、第一床下空間５１の空気を第二床下空間５２に送ることができれば、任意に配置することが可能である。
【００７９】
例えば、図７に示す変形例（第一変形例）の如く、送風機１２０を第二床下空間５２の左方（放熱器１１０と反対側）、すなわち空気の流通方向において第二床下空間５２の下流側に配置することも可能である。当該送風機１２０を作動させ、第二床下空間５２内の空気を吸引し左方へと送ることで、第一床下空間５１の空気を第二床下空間５２へと送ることができる。
【００８０】
また、上記実施形態や第一変形例に限らず、例えば、第二床下空間５２の右方（上流側）及び左方（下流側）のそれぞれに送風機１２０を配置してもよい。
【００８１】
また、第二床下空間５２は、その周囲の空間（第一床下空間５１等）と区画されていてもよい。例えば、図８に示す変形例（第二変形例）の如く、区画壁３６ｂによって第二床下空間５２を、その周囲の空間と区画することも可能である。
【００８２】
区画壁３６ｂは、低床部３６（図２等参照）を下方から支持する構造部材として用いることも可能である。区画壁３６ｂは、平面視において第二床下空間５２を囲むような矩形状に形成される。区画壁３６ｂの右側面の前後中央部には、第一連通孔３６ｃが形成される。第一連通孔３６ｃには、送風機１２０の吐出口１２１が挿通される。区画壁３６ｂの左側面には、複数の第二連通孔３６ｄが形成される。このように構成することにより、送風機１２０により第一床下空間５１から第二床下空間５２へと送られてきた空気が、第二床下空間５２外へと逃げるのを防止することができる。これによって、当該第二床下空間５２を効果的に暖めることができる。
【００８３】
また、遮蔽板１３０は、空気の流れを遮ることで当該空気を拡散させることができるものであれば、任意の形状に形成することが可能である。例えば、図９に示す変形例（第三変形例）の如く、遮蔽板１３０に複数の貫通孔１３０ａを形成することも可能である。このように構成することにより、送風機１２０から送られてくる空気の一部は貫通孔１３０ａを介して遮蔽板１３０の背後（左方）に流通することができる。また、その他の空気は遮蔽板１３０に遮られて当該遮蔽板１３０を前後に迂回するように流通する。このようにして、遮蔽板１３０は空気を拡散させることができる。
【００８４】
このように送風機１２０から送られてくる空気の一部を遮蔽板１３０の背後に流通可能な構成とした場合には、当該遮蔽板１３０を作動位置または非作動位置に切り替えることなく、空気を第二床下空間５２の略全域に拡散させることができる。従って、この場合にはアクチュエータ１４０を省略することが可能である。
【００８５】
また、上記実施形態においては、放熱器１１０を用いて第一床下空間５１内の空気を暖めるものとしたが、例えば冷却装置を用いて第一床下空間５１内の空気を冷やす構成とすることも可能である。これによって、床下空間を冷やし、当該床下空間の熱（冷熱）を床上空間に伝達することで当該床上空間を冷やす冷房システム（空調システム）を構築することができる。
【００８６】
この場合、遮蔽板１３０近傍の温度が所定の温度以上である場合（例えば、前記冷却装置が作動する前）にはアクチュエータ１４０が伸張して、遮蔽板１３０は作動位置に切り替えられる。この状態では、第二床下空間５２のうち、主に前後両端部が冷やされる。また前記冷却装置が作動し、遮蔽板１３０の近傍の温度が所定の温度未満になった場合にはアクチュエータ１４０が収縮して、遮蔽板１３０は非作動位置に切り替えられる。この状態では、第二床下空間５２のうち、主に前後中央付近が冷やされる。
【００８７】
なおこの場合、第二床下空間５２の前後両端部が冷やされたことを検出するために、アクチュエータ１４０を遮蔽板１３０（上記実施形態においては、２つの遮蔽板１３０）の前後両端部近傍に配置することが望ましい。
【符号の説明】
【００８８】
１      住宅
１２    リビング
３４    窓
３５    一般床部
３６    低床部
５１    第一床下空間
５２    第二床下空間
１００  暖房システム
１１０  放熱器
１２０  送風機
１３０  遮蔽板
１４０  アクチュエータ
１５０  吹き出し口
【図１】
0006630526.tif 000002
【図２】
0006630526.tif 000003
【図３】
0006630526.tif 000004
【図４】
0006630526.tif 000005
【図５】
0006630526.tif 000006
【図６】
0006630526.tif 000007
【図７】
0006630526.tif 000008
【図８】
0006630526.tif 000009
【図９】
0006630526.tif 000010